(57)【特許請求の範囲】
【請求項１】
額縁状の前枠の前側面には透視性の有るパネルを装着したパネル枠がヒンジで前方横方向に片開き可能に取付けられ、前枠の裏面には遊技盤を格納する前方に開放された凹部を有するリアプレートが設けられ、リアプレートの凹部における上記ヒンジの側に位置する側壁には盤押具が設けられ、遊技盤の前側の化粧盤面に部品を備えた遊技盤の一側部が盤押具より裏側のリアプレートの凹部に挿入されて遊技盤がリアプレートの凹部に格納され、パネル枠が前枠に対し閉じられることによって遊技盤の一側部の前側の化粧盤面と盤押具と遊技盤の前側の化粧盤面の部品とパネル枠とパネルとリアプレートの凹部における上記ヒンジの側に位置する側壁とで囲まれた隙間が形成され、この隙間には内部に配線を通すハーネスケースが配置され、このハーネスケースがヒンジの側に形成された隙間におけるリアプレートに取り付けられるケースベースとケースベースに取り付けられるケースカバーとを備え、ケースベースは遊技盤の前側の化粧盤面に取り付けられた部品の側に開口された縦長な溝状であるとともにケースベースの前後方向に相対峙する開口縁部より外側に突出するフックを備え、ケースカバーはケースベースの開口を被覆する帯状であるとともにケースカバーの前後方向の両側縁部より相対峙するように突出するフックを備え、ケースベースのフックとケースカバーのフックとが相互に嵌め込み装着されることによって、ケースベースとケースカバーとがハーネスケースの内部に配線を通す通路を形成したことを特徴とする遊技機配線装置。
【発明の詳細な説明】
【０００１】
【発明の属する技術分野】
本発明は、パチンコ機やスロットマシン等の遊技機に配線を組付ける装置に関する。
【０００２】
【従来の技術】
特開平１１−４２３１８号公報で開示されたパチンコ機の配線装置は、可撓性の有る筒状のコルゲートチューブと呼ばれるソフトタイプのハーネスケースの内部に配線を通し、コルゲートチューブをリアプレートの裏面に設けた機構枠体にチューブ把持爪で固定している。
【０００３】
【発明が解決しようとする課題】
前記従来例は、ハーネスケースが可撓性を有するソフトタイプである構造のため、ハーネスケースの形が定まりにくいことから、配線処理工程において、ハーネスケースにおける数箇所に点在する把持爪の１つ１つに対応するの部分を手で持って把持爪の全部に嵌め込まねばならず、作業性が悪いことは否めない。
【０００４】
そこで、本発明は、配線作業のやり易い遊技機配線装置を提供するものである。
【０００５】
【課題を解決するための手段】
本発明にあっては、額縁状の前枠の前側面には透視性の有るパネルを装着したパネル枠がヒンジで前方横方向に片開き可能に取付けられ、前枠の裏面には遊技盤を格納する前方に開放された凹部を有するリアプレートが設けられ、リアプレートの凹部における上記ヒンジの側に位置する側壁には盤押具が設けられ、遊技盤の前側の化粧盤面に部品を備えた遊技盤の一側部が盤押具より裏側のリアプレートの凹部に挿入されて遊技盤がリアプレートの凹部に格納され、パネル枠が前枠に対し閉じられることによって遊技盤の一側部の前側の化粧盤面と盤押具と遊技盤の前側の化粧盤面の部品とパネル枠とパネルとリアプレートの凹部における上記ヒンジの側に位置する側壁とで囲まれた隙間が形成され、この隙間には内部に配線を通すハーネスケースが配置され、このハーネスケースがヒンジの側に形成された隙間におけるリアプレートに取り付けられるケースベースとケースベースに取り付けられるケースカバーとを備え、ケースベースは遊技盤の前側の化粧盤面に取り付けられた部品の側に開口された縦長な溝状であるとともにケースベースの前後方向に相対峙する開口縁部より外側に突出するフックを備え、ケースカバーはケースベースの開口を被覆する帯状であるとともにケースカバーの前後方向の両側縁部より相対峙するように突出するフックを備え、ケースベースのフックとケースカバーのフックとが相互に嵌め込み装着されることによって、ケースベースとケースカバーとがハーネスケースの内部に配線を通す通路を形成したことを特徴としている。よって、本発明によれば、前枠に対し閉じられたパネル枠とパネルと遊技盤と遊技盤に取り付けられた部品とリアプレートと盤押具とによってデッドスペースとして形成された隙間を、配線を通すハーネスケースの設置場所として活用できるうえ、ケースベースとケースカバーとで囲まれた通路に配線を通す作業とケースベースとケースカバーとを装着する作業とがやり易くなる。
【０００６】
【発明の実施の形態】
図１〜図４は本発明の第１実施形態であって、図１は図２をＡ−Ａ線に沿い切断した断面を示し、図２は遊技機としてのパチンコ機の正面を示し、図３はパチンコ機の裏面を示し、図４はハーネスケースの外観を示す。
【０００７】
図２を参照し、パチンコ機について説明する。パチンコ機の遊技機枠体１では、パチンコ店の島に取付けられる額縁状の外枠２と額縁状の前枠３とが枠ヒンジ４で前方横方向に片開き可能に取付けられる。前枠３の前側面には、パネル枠５と上皿装置６とが前枠３で囲まれた中央開口内周縁に固定された枠支持部材７を介して前方横方向に片開き可能に取付けられ、下皿装置８が上皿装置６よりも下部で固定され、ハンドルグリップ９が下皿装置８の右側で回転操作可能に取付けられる。
【０００８】
パネル枠５には遊技機枠体１の内部に格納された遊技盤１０を遊技機枠体１の前側より見ることが可能な透視性の有る合成樹脂又はガラスのようなパネル１１が装着される。遊技盤１０における化粧盤面側のガイドレール１２で囲まれた内側の遊技領域には、各種の入賞口装置１３、センタ役物として特別図柄表示装置１４、大当り遊技用の変動入賞口装置１５、アウト口１６が配置される。
【０００９】
上皿装置６を閉じた場合に上皿装置６で被覆され上皿装置６を開いた場合に前側に露出される前枠３の前壁には、音スイッチ１７や下放音部１８及び図外の発射機構部が設けられる。この前枠３の前壁は遊技盤１０が搭載される棚を形成する。前枠３の左右縁部の前面側には左右上放音部１９；２０が個別に設けられ、前枠３の右縁部には施錠装置２１が設けられ、前枠３の左縁部の裏面側にはハーネスケース２２が設けられる。
【００１０】
図３を参照し、パチンコ機の裏側について説明する。前枠３の裏面には前枠３に遊技盤１０を格納する部材であるリアプレート２５が取付けられる。リアプレート２５の裏面には上タンク２６と下タンク２７、枠用表示灯中継基板２８、枠用音中継基板２９、枠用外部情報基板３０、貸球中継基板３１、枠用賞球中継基板３２、球払出機構３４、球払出制御装置３５及び球発射制御装置３６が設けられる。リアプレート２５に形成された開口部３７に対応する遊技盤１０の裏面には音制御装置３８、特別図柄制御装置３９、表示灯制御装置４０、主制御装置４１及び盤用中継基板４２が設けられる。これらの制御装置３５；３６；３８〜４１は別々に形成された外側より内部を見ることが可能な透視性の有る合成樹脂製のケースに収められるプリント配線基板のような配線基板にコンピュータやインターフェース及びコネクタ並びにその他の必要な電気部品が実装された形態で機能分割されている。
【００１１】
主制御装置４１は賞球関係各種スイッチや入賞球関係各種スイッチ（入賞口装置や変動入賞口装置に設けられた球検出器）からの入力信号により遊技内容の全般に関する制御するためのコンピュータによる制御処理を行い、処理結果であるコマンド信号を配線を通して一方向に音制御装置３８、表示灯制御装置４０、特別図柄制御装置３９、球払出制御装置３５及び球発射制御装置３６等に個別に出力する。音制御装置３８や表示灯制御装置４０及び特別図柄制御装置３９並びに球払出制御装置３５それぞれは主制御装置４１から入力されたコマンド信号によりそれぞれの制御処理を実行する。
【００１２】
音制御装置３８は図２の下放音部１８に対応して設けられる低音用スピーカや図２の左右上放音部１９；２０に対応して設けられる左右中高音用スピーカで音を発生するためのコンピュータによる制御処理を行い、処理結果である駆動信号を低音用スピーカや左右中高音用スピーカに出力する。特別図柄制御装置３９は遊技盤１０に設けられた特別図柄表示器を図柄表示動作するためのコンピュータによる制御処理を行い、処理結果である駆動信号を上記特別図柄表示器に出力する。球払出制御装置３５は球払出機構３４を球払出動作するためのコンピュータによる制御処理を行い、処理結果である駆動信号を球払出機構３４に出力する。表示灯制御装置４０は遊技盤１０や前枠３に設けられた各種表示灯を点灯又は点滅するためのコンピュータによる制御処理を行い、処理結果である駆動信号を上記表示灯に出力する。
【００１３】
球払出機構３４は球払出制御装置３５からの駆動信号により上タンク２６から下タンク２７を経由して供給された球を払出し、払出された球を検出した信号を球払出制御装置３５及び主制御装置４１に出力する。そして、球払出制御装置３５が球払出機構３４からの球検出信号により計数した値が主制御装置４１からの設定球払出数に到達すると、球払出制御装置３５が球払出機構３４に停止信号を出力し、この停止信号により球払出機構３４は球払出動作を停止する。球払出機構３４より払出された球は図２の上皿装置６に排出される。球払出機構３４は賞球用の単独であっても、賞球用及び貸球用の複数であっても良いが、複数の場合は前後又は左右に重ね合されることにより実施し得る。
【００１４】
図１を参照し、第１実施形態の要部について説明する。ハーネスケース２２はリアプレート２５と遊技盤１０とによって形成された隙間４５に配置されかつリアプレート２５の側壁に両面粘着テープのような接着剤４６で固定される。６３はパネル枠５と枠支持部材７とを相互に回転可能に連結するヒンジである。
【００１５】
第１実施形態の場合、遊技盤１０の側縁部はリアプレート２５に固定された盤受具４７で横方向に受止められリアプレート２５に固定された盤押具４８で前側よりリアプレート２５に押付けられ、リアプレート２５の側壁の外側面には図３の球払出機構３４を回転可能に取付ける固定側ヒンジ４４が固定され、隙間４５はパネル枠５、図２のパネル１１を形成する図１の内外側パネル１１ａ；１１ｂ、枠支持部材７、遊技盤１０、リアプレート２５、盤押具４８、遊技盤１０に取付けられた部品４９等で囲まれる。内側パネル１１ａは図外の板ばねのような弾性体により前側よりパネル枠５に押付けられる。内側パネル１１ａと外側パネル１１ｂとの間には隙間５０が存在する。部品４９は図２のガイドレール１２、入賞口装置１３、センタ役物として特別図柄表示装置１４、大当り遊技用の変動入賞口装置１５、アウト口１６や遊技釘等である。前枠３の前側面には合成樹脂性の前飾り３ａを備える。
【００１６】
ハーネスケース２２は、定形を保持し得るハードタイプであって、外側より内部を見ることが可能な透視性の有る合成樹脂よりなる縦長な溝状のケースベース５１と、ケースベース５１の遊技盤１０側の開口を被覆するようにケースベース５１に装着された外側より内部を見ることが可能な透視性の有る合成樹脂よりなる帯状のケースカバー５２とを備え、ケースベース５１が接着剤４６でリアプレート２５の側壁の遊技盤１０側に位置する内面に取付けられ、ケースベース５１とケースカバー５２とで囲まれた上下に開口する通路に多数本の配線５３を通す筒状である。配線５３は電線が合成樹脂のような絶縁材で被覆された被覆線である。
【００１７】
ケースベース５１は相対峙する開口縁部より外側に突出するフック５１ａを備え、ケースカバー５２は両側縁部より同一側に相対峙するように突出するフック５２ａを備え、フック５２ａがフック５１ａに外側より自身の弾性作用下で係合されることにより、ケースベース５１とケースカバー５２とが相互に嵌め込み装着される。
【００１８】
図４を参照し、ハーネスケース２２の詳細について説明する。ケースカバー５２は長寸なケースカバー５４と短寸なケースカバー５５とを備え、ケースカバー５４の上端部がケースベース５１の上端部に位置が合うように、ケースカバー５５の下端部がケースベース５１の下端部に位置があうように、ケースカバー５４；５５がケースベース５１に嵌め込まれることにより、ケースカバー５４とケースカバー５５との間にはケースベース５１の開口の露出する隙間５６が形成される。
【００１９】
配線５３中における数本の配線５３ａの一端部がハーネスケース２２の内部より隙間５６を経由して外側に引出され、それらの一端部にはコネクタ５７が結線される。コネクタ５７は図２の音スイッチ１７と一緒にプリント回路基板のような回路基板に実装された図外のコネクタに嵌め込まれることにより、配線５３ａが音スイッチ１７に接続される。
【００２０】
スピーカ配線５３中における残る配線５３ｂの一端部がハーネスケース２２の内部より下端開口部を経由して外側に引出され、それらの一端部にはコネクタ５８が結線される。コネクタ５８は図３の球払出制御装置３５の図外のコネクタに嵌め込まれることにより、配線５３ｂが球払出制御装置３５に接続される。
【００２１】
上記配線５３ａ；５３ｂ等に相当する配線５３ｃ；５３ｄ；５３ｅ；５３ｆの他端部がハーネスケース２２の内部より上端開口部を経由して外側に引出され、それらの他端部にはコネクタ５９；６０；６１；６２が個別に結線される。コネクタ５９は図３の枠用表示灯中継基板２８に実装された図外のコネクタに嵌め込まれることにより、配線５３ｃが図３の表示灯御制御装置４０に接続される。
【００２２】
コネクタ６０は図３の枠用音中継基板２９に実装された図外のコネクタに嵌め込まれることにより、配線５３ｄが図３の音制御装置３８に接続される。コネクタ６１は図３の貸球中継基板３１に実装された図外のコネクタに嵌め込まれることにより、配線５３ｅが図３の球払出機構３４に相当する図外の球払出機構に接続される。コネクタ６２は図３の賞球中継基板３２に実装された図外のコネクタに嵌め込まれることにより、配線５３ｆが図３の球払出機構３４に接続される。
【００２３】
第１実施形態の構造によれば、図３に示すように、配線５３を通したハーネスケース２２がリアプレート２５と遊技盤１０とによって必然的にデッドスペースとして形成された隙間４５に配置されたので、係る隙間４５が配線５３を通される場所として活用できる。ハーネスケース２２が定形を保持し得るハードタイプであるので、上記隙間４５にハーネスケース２２を挿入する場合、ハーネスケース２２が所定形状を維持したまま隙間４５に挿入でき、ハーネスケース２２が隙間４５に挿入し易く、ハーネスケース２２のリアプレート２５への組付性を向上することができる。
【００２４】
ハーネスケース２２がリアプレート２５の側壁に両面粘着テープのような接着剤４６で固定されるので、接着剤４６をハーネスケース２２に取付け、ハーネスケース２２を隙間４５に入れてリアプレート２５に押付ければ、ハーネスケース２２がリアプレート２５の側壁に固定でき、ハーネスケース２２のリアプレート２５への組付性を向上することができる。
【００２５】
ハーネスケース２２が筒状であるので、配線５３がハーネスケース２２よりパネル枠５、内外側パネル１１ａ；１１ｂ、枠支持部材７、遊技盤１０、盤押具４８及び部品４９等の周辺配置部材側に出ることがなく、遊技盤１０を前枠３に取付ける場合やパネル枠５を開閉する場合等においても、配線５３が遊技盤１０や盤押具４８或いはパネル枠５に挟み込まれることがなく、ハーネスケース２２が配線５３を適切に保護することができる。
【００２６】
ハーネスケース２２がケースベース５１とケースカバー５２とにより形成されたので、ケースベース５１に配線５３を通した後に、ケースカバー５２をケースベース５１に装着すれば良いので、配線５３をハーネスケース２２に通す作業が容易である。
【００２７】
図５は本発明の第２実施形態を示す。第２実施形態は、ハーネスケース６５が溝状に形成され、相対峙する開口縁部より内側に返し部６６；６７を備え、返し部６６；６７相互間の隙間より図１の配線５３をハーネスケース６５の溝内部に押込むことにより、返し部６６；６７がハーネスケース６５の内部からの配線５３抜けを防止することができるようにしたものである。
【００２８】
図６〜図７は本発明の第３実施形態を示す。第３実施形態は、図６に示すように、ハーネスケース７０が溝状に形成され、相対峙する開口縁部より外側に係合部７１；７２を備える。そして、図７に示すように、ハーネスケース７０の溝内部に配線５３を取込み、係合部７１；７２をリアプレート２５に形成された孔７３；７４に嵌め込むことにより、配線５３がハーネスケース７０とリアプレート２５とで囲まれる配線通路に収納されるようにしたものである。
【００２９】
第１実施形態ではハーネスケース２２がケースベース５１とケースカバー５２とよりなる分割構造であるが、筒状の単一体であっても良い。
【００３０】
第１実施形態ではハーネスケース２２をリアプレート２５と遊技盤１０とによる隙間４５に配置しリアプレート２５の側壁の内側面に取付けたが、ハーネスケース２２をリアプレート２５の外側に配置してリアプレート２５の側壁の外側面に取付けることも可能である。
【００３１】
第１；第２実施形態では接着剤４６が両面粘着テープであるが、ハーネスケース２２とリアプレート２５との取付後に固化する溶剤タイプでも良い。ハーネスケース２２とリアプレート２５との取付は接着以外の嵌め込み又は止ねじでも良い。嵌め込みの場合は、例えば、リアプレート２５に設けた爪をハーネスケース２２に設けた孔に嵌め込むか、ハーネスケース２２に設けた爪をリアプレート２５に設けた孔に嵌め込むことにより可能である。
【００３２】
第３実施形態ではハーネスケース７０の係合部７１；７２をリアプレート２５の孔７３；７４に嵌め込むことによりリアプレート２５とハーネスケース７０と配線５３を囲むようにしたが、ハーネスケース７０より係合部７１；７２を除去し、係る溝状のハーネスケース７０の内部に配線５３を挿入し、配線５３がハーネスケース７０の溝開口より出ないように結束バンドをハーネスケース７０に取付け、ハーネスケース７０の背壁をリアプレート２５に固定することも可能である。
【００３３】
第１実施形態ではハーネスケース２２をリアプレート２５の側壁の内側面に取付けたが、図８及び図９に示すように取付けることも可能である。図８は、リアプレート２５の前枠３に固定される部分の裏面にケース収納部８０を形成し、ハーネスケース２２に相当するハーネスケース８１をケース収納部８０に裏側より嵌め込み装着した形態である。図９は、リアプレート２５の前枠３に固定される部分の横幅を小さくし、リアプレート２５より突出する前枠３の裏面にハーネスケース２２に相当するハーネスケース８２を固定した形態である。
【００３４】
リアプレート２５を金属や導電性合成樹脂で形成したり、又は、リアプレート２５の表面にメッキや塗装等で導電層を形成すれば、配線５３は周囲のリアプレート２５によってシールドされるため、遊技機裏面の球通路で発生する静電気が配線５３に放電したり、放電による電磁ノイズが配線５３に混入することは防止できる。又、ハーネスケース２２を金属や導電性合成樹脂で形成したり、ハーネスケース２２の表面にメッキや塗装等で導電層を形成すれば、リアプレート２５の材質に係らずに同様のシールド効果が得られる。
【図面の簡単な説明】
【図１】  本発明の第１実施形態を示す図２のＡ−Ａ線断面図。
【図２】  同第１実施形態のパチンコ機を示す正面図。
【図３】  同第１実施形態のパチンコ機を示す背面図。
【図４】  同第１実施形態のハーネスケースを示す斜視図。
【図５】  本発明の第２実施形態のハーネスケースを示す斜視図。
【図６】  本発明の第３実施形態のハーネスケースを示す斜視図。
【図７】  同第３実施形態の取付構造を示す断面図。
【図８】  本発明の第４実施形態を示す断面図。
【図９】  本発明の第５実施形態を示す断面図。
【符号の説明】
３  前枠
１０  遊技盤
２２  ハーネスケース
２５  リアプレート
４５  隙間
４６  接着剤
５１  ケースベース
５２  ケースカバー
５３  配線
６５  ハーネスケース
６６  返し部
６７  返し部
７０  ハーネスケース
７１  係合部
７２  係合部
【図１】
0003683783.tif 000002
【図２】
0003683783.tif 000003
【図３】
0003683783.tif 000004
【図４】
0003683783.tif 000005
【図５】
0003683783.tif 000006
【図６】
0003683783.tif 000007
【図７】
0003683783.tif 000008
【図８】
0003683783.tif 000009
【図９】
0003683783.tif 000010